(57)【要約】【課題】電気掃除機において、気流の漏洩を防ぐために可撓性ホースの先端は高いシール性を有しながら床用吸込具または集塵部へと接続されており、補助吸込具を用いた清掃を行う際に、容易には可撓性ホースを取り外すことができず、また可撓性ホースに補助吸込具を接続する作業も必要であり、補助吸込具を用いた清掃を行うまでの準備が大変であった。【解決手段】電動送風機２２の吸排気方向を逆転可能にして、床ノズル（床面吸込具）２４と補助吸込具３０のどちらか一方から塵埃を吸引可能にし、可撓性ホース３２に予め補助吸込具３０を取り付けた状態にしておき、前記可撓性ホース３２を本体２１内で、電動送風機２２を介して床ノズル２４とは反対側に接続することで、容易に補助吸込具を用いた清掃を行うことができる電気掃除機を実現できるものである。【選択図】  図１
2004242840.tif 000002
【特許請求の範囲】
【請求項１】
任意に羽根の回転方向を切り換えて吸排気方向を逆転できる電動送風機と、前記電動送風機の正転時吸気口と連通する第１の集塵室と、前記電動送風機の逆転時吸気口と連通する第２の集塵室とを内部に設けた本体を備え、前記第１の集塵室と連通する床用吸込具と、前記第２の集塵室と連通する可撓性ホースと、前記可撓性ホースの端部と連通する補助吸込具を有する電気掃除機。
【請求項２】
逆転時吸気口を電動送風機の羽根正転時の排気口とし、正転時吸気口を電動送風機の羽根逆転時の排気口とする請求項１記載の電気掃除機。
【請求項３】
第１の集塵室を電動送風機の前方に、第２の集塵室を電動送風機の後方に、それぞれ設けた請求項１または２に記載の電気掃除機。
【請求項４】
補助吸込具を係止する係止部を本体に設け、前記係止部に係止された補助吸込具の一部が、本体のハンドル体近傍に位置する請求項１ないし３のいずれか１項に記載の電気掃除機。
【請求項５】
電動送風機の送風機を軸流型とした請求項１ないし４のいずれか１項に記載の電気掃除機。
【請求項６】
本体内の電動送風機上方に、可撓性ホースおよび／または補助吸込具を収容可能な収容部を設けた請求項１ないし５のいずれか１項に記載の電気掃除機。
【発明の詳細な説明】
【０００１】
【発明の属する技術分野】
本発明は、一般家庭等で使用される電気掃除機に関するものである。
【０００２】
【従来の技術】
従来の電気掃除機は、棚の上などの床用吸込具以外を用いる清掃時に、床用吸込具と集塵部を連結する可撓性ホースの一端を取り外し、その先端に補助吸込具を接続している（例えば、特許文献１参照）。また可撓性ホースは床用吸込具近傍から配されているので、とくに電動送風機や集塵部の周囲で且つ掃除機の本体外側に、可撓性ホースが配されている（例えば、特許文献２参照）。
【０００３】
【特許文献１】
特開平０７−１２４０８２号公報
【特許文献２】
特開平１０−３１４０７４号公報
【０００４】
【発明が解決しようとする課題】
しかしながら、前記従来の構成では、気流の漏洩を防ぐために可撓性ホースの先端は高いシール性を有しながら床用吸込具または集塵部へと接続されており、容易には可撓性ホースを取り外すことができない。さらに可撓性ホースの先端に補助吸込具を接続する準備作業が発生するため、容易には補助吸込具を用いた清掃が行えないという課題を有していた。
【０００５】
また、電動送風機や集塵部の周囲で且つ本体の外側に可撓性ホースを配しているので、結果的に可撓性ホースを含めた掃除機全体が太くなり、狭い空間に本体が進めず清掃できない等の操作性が低下するという課題も有していた。
【０００６】
本発明は前記従来の技術を解決するもので、電動送風機の吸排気方向を逆転させて床面吸込具と補助吸込具のどちらか一方からそれぞれ直接吸引することで、補助吸込具の準備作業が容易で、また掃除機の操作性を向上した電気掃除機を提供することを目的とする。
【０００７】
【課題を解決するための手段】
前記従来の課題を解決するために、本発明の電気掃除機は、任意に羽根の回転方向を切り換えて吸排気方向を逆転できる電動送風機と、前記電動送風機の正転時吸気口と連通する第１の集塵室と、前記電動送風機の逆転時吸気口と連通する第２の集塵室とを内部に設けた本体を備え、前記第１の集塵室と連通する床用吸込具と、前記第２の集塵室と連通する可撓性ホースと、前記可撓性ホースの端部と連通する補助吸込具を有する構成としたものである。
【０００８】
これによって、床面清掃時には電動送風機の羽根を正転させて床用吸込具から塵埃を吸引し、また棚などの床面以外の清掃時には電動送風機の羽根を逆転させて補助吸込具から塵埃を吸引することができるようになる。そして可撓性ホースを床用吸込具からわざわざ外して補助吸込具を取り付ける必要がなく、予め補助吸込具を取り付けた状態の可撓性ホースが本体の第２の集塵室と連通しているため、補助吸込具を使用して掃除する際の準備作業が容易になるものである。
【０００９】
また、可撓性ホースを床用吸込具から配する必要がなく、電動送風機や集塵部の周囲を避けて配することが可能になり、狭い空間に本体が進め、清掃できる等の操作性のよい電気掃除機が提供できるようになる。
【００１０】
【発明の実施の形態】
請求項１に記載した発明は、任意に羽根の回転方向を切り換えて吸排気方向を逆転できる電動送風機と、前記電動送風機の正転時吸気口と連通する第１の集塵室と、前記電動送風機の逆転時吸気口と連通する第２の集塵室とを内部に設けた本体を備え、前記第１の集塵室と連通する床用吸込具と、前記第２の集塵室と連通する可撓性ホースと、前記可撓性ホースの端部と連通する補助吸込具を有する構成としたものである。
【００１１】
これによって、床面清掃時には電動送風機を正転させ床用吸込具から塵埃を吸引し、また棚などの床面以外の清掃時には電動送風機を逆転させ補助吸込具から塵埃を吸引することができる。そして可撓性ホースを床用吸込具からわざわざ外して補助吸込具を取り付ける必要がなく、予め補助吸込具を取り付けた状態の可撓性ホースが本体の第２の集塵室と連通しているため、補助吸込具を使用して掃除する際の準備作業が容易になるものである。また、可撓性ホースを床用吸込具から配する必要がなく、電動送風機や集塵部の周囲を避けて配することができ、狭い空間にも本体が進むことができて清掃できる等の操作性を向上した電気掃除機を実現するものである。
【００１２】
請求項２に記載した発明は、特に、請求項１に記載の逆転時吸気口を、電動送風機の羽根正転時の排気口とし、正転時吸気口を、電動送風機の羽根逆転時の排気口としたので、正転時、逆転時のそれぞれの排気口を別に設ける必要がなく、構成が簡単な電気掃除機を提供できるようになる。
【００１３】
請求項３に記載した発明は、特に、請求項１または２に記載の第１の集塵室を、電動送風機の前方に、第２の集塵室を、電動送風機の後方にそれぞれ設けたので、塵埃の集塵径路が複雑になることがなく、構成が簡単な電気掃除機を提供できるようになる。
【００１４】
請求項４に記載した発明は、特に、請求項１ないし３のいずれか１項に記載の補助吸込具を係止する係止部を本体に設け、前記係止部に係止された補助吸込具の一部が、本体のハンドル体近傍に位置する構成としたので、使用者が屈まずに補助吸込具の取付け及び取り外しを行うことができ、容易に棚などの床面以外の清掃を行うことができるようになる。
【００１５】
請求項５に記載した発明は、請求項１ないし４のいずれか１項に記載の電動送風機の送風機を、軸流型としたので、送風機の羽根の回転方向を切り換えるだけで、効率よく吸排気が可能である。その結果、床用吸込具または補助吸込具のどちらか一方の吸引力が著しく低下することもなく、吸込み性能を高めた電気掃除機を実現するものである。
【００１６】
請求項６に記載した発明は、請求項１ないし５のいずれか１項に記載の本体内の電動送風機上方に、可撓性ホースおよび／または補助吸込具を収容可能な収容部を設けたので、電動送風機下方（床用吸込具側）の掃除機全体の太さを細くすることが可能で、操作性が向上し、さらに細い隙間などの清掃が容易に行え、掃除機本体を狭い収納場所へでも収納可能となる。
【００１７】
【実施例】
以下、本発明の実施例について図面を参照しながら説明する。
【００１８】
（実施例１）
図１は、本発明の第１の実施例である電気掃除機の側断面図を示すものであり、図２は、同補助吸込具の収容状態を示す側断面図である。また図３（ａ）は、同電気掃除機における電動送風機正転時の状態を示す側断面図であり、図３（ｂ）逆転時の状態を示す側断面図である。
【００１９】
本実施例において、２１は電気掃除機の本体、２２は本体２１内に内蔵された電動送風機である。２３は第１の集塵室であり、本実施例ではごみ袋式を記載しているが、その他フィルタ式、遠心分離式、慣性集塵式等であっても構わない。２４は床用吸込具である床ノズルであり、下方に開口部２５を設けている。床ノズル２４内部には床ノズルモータ（図示せず）によって回転する回転ブラシ２６を配している。２７は床ノズル２４と第１の集塵室２３との間に設けられた接続管であり、管内には第１の集塵室方向へのみ開く第１の逆止弁２８を設けている。２９は電動送風機２２を挟んで第１の集塵室２３の反対側に設けている第２の集塵室である。３０は先端に毛ブラシ３１を設けた補助吸込具であり、第２の集塵室２９とは可撓性ホース３２によって接続されている。
【００２０】
また可撓性ホース３２の本体２１側端には第２の集塵室方向へのみ開く第２の逆止弁３３を設けている。３４は電動送風機２２と第１の集塵室との間に設けられた第１の排気室であり、第１の開口部である第１の排気口３５を１つ以上設けてあり、摺動可能な第１の閉塞部３６がこの第１の排気口３５を開閉している。
【００２１】
同じく、３７は電動送風機２２と第１の集塵室との間に設けられた第２の排気室であり、第２の開口部である第２の排気口３８を１つ以上設けてあり、摺動可能な第２の閉塞部３９がこの第１の排気口３８を開閉している。このとき第１の排気口３５が開口しているときには、第２の排気口３８が閉塞されており、反対に第２の排気口３８が開口しているときには、第１の排気口３５が閉塞される構成となっており、第１、第２の閉塞部３６、３９の摺動とリミットスイッチ（図示せず）が連動し、電動送風機２２の回路（図示せず）へと信号が送られる。
【００２２】
５１は可撓性ホース３２と補助吸込具３０を本体２１内へ収容する収容部であり、この中には補助吸込具３０を係止するための係止部５２が設けてある。また５３は補助吸込具３０の先端近傍を覆うカバー体である。５４は本体２１の端部に設けられたハンドル体である。電動送風機２２において、６１はモータであり、この回転軸には羽根車（羽根）６２が固定されている。６３は正転時吸気口であり、６４は逆転時吸気口である。
【００２３】
以下、本実施例の動作について説明する。ハンドル体５４を持ち床ノズル２４の開口部２５を清掃面に置き、ハンドル体５４に設けた床面清掃に設定した電源スイッチ（図示せず）を入れると、電動送風機２２が動作して吸引力が発生する。続いて回転ブラシ２６が床ノズル２４内の床ノズルモータによって回転し清掃面の塵埃を掻き揚げる。発生した吸引力によって周囲の空気が吸込まれ、清掃面の塵埃が開口部２５より床ノズル２４内に吸込まれる。吸込まれた塵埃は接続管２７を通過し、第１の集塵室２３へと搬送されここで集塵される。このとき第１の排気室３４に設けた第１の排気口３５は第１の閉塞部３６によって閉塞されており、ここから本体２１外部との気流の出入りはないものである。
【００２４】
さらに塵埃が除去された空気は電動送風機２２内を通過し（正転時吸気口６３から逆転時吸気口６４へと通過し）、この後電動送風機２２から排出された空気は第２の排気室３７に設けられた第２の排気口３８から外部へと排出される（図３（ａ）の矢印Ａ）。
【００２５】
また、棚などの床面以外の清掃をするために補助清掃に設定した電源ボタン（図示せず）を入れると、今度は電動送風機２２内のモータ６１が床面掃除の時とは逆方向に回転し、すなわち羽根車６２によって床面清掃とは逆向きの気流が発生する。使用者は本体２１内の収容部５１に収容され、係止部５２によって係止された補助吸込具３０を取り外し、可撓性ホース３２が伸縮自在な範囲で棚などの床面以外の清掃を行う。このとき第２の排気口３８は閉塞されており、第１の排気口３５からのみ空気は外部へと排出される（図３（ｂ）の矢印Ｂ）。
【００２６】
このようにして本実施例の電気掃除機を使用することによって、床面清掃時には電動送風機２２を正転させ床ノズル２４から塵埃を吸引し、また棚などの床面以外の清掃時には電動送風機２２を逆転させ補助吸込具３０から塵埃を吸引することができる。そして可撓性ホース３２を床ノズル２４からわざわざ外して補助吸込具３０を取り付ける必要がなく、予め補助吸込具３０を取り付けた状態の可撓性ホース３２が本体の第２の集塵室２９と連通しているため、補助吸込具３０を使用して掃除する際の準備作業が容易になるものである。
【００２７】
また、可撓性ホース３２を床ノズル２４から配する必要がなく、電動送風機２２や集塵室２３の周囲を避けて配することができ、操作性を向上した電気掃除機を実現するものである。
【００２８】
また本体２１に補助吸込具３０を係止する係止部５２を有し、この補助吸込具３０の一部が本体２１に設けたハンドル体５４近傍に位置する構成としたので、使用者が屈まずに補助吸込具３０を取付け及び取り外しを行うことができ、容易に棚などの床面以外の清掃を行うことができる。
【００２９】
また電動送風機２２を構成する送風機が軸流型であるので、羽根車６２の回転方向を切り換えるだけで、効率よく吸排気が可能である。その結果、床ノズル２４または補助吸込具３０のどちらか一方の吸引力が著しく低下することなく、吸込み性能を高めた電気掃除機を実現するものである。
【００３０】
また本体２１への係止時に補助吸込具３０を覆うカバー体５３を設けたので、床ノズル使用時に使用者が塵埃等で汚れた補助吸込具３０の先端に誤って触れることなく快適に床面清掃を行うことができる。
【００３１】
また本体２１内の電動送風機２２上方に可撓性ホース３２、補助吸込具３０を収容可能な収容部５１を設けている。これにより床ノズル２４との接続部から電動送風機２２にかけての本体２１の大きさ（外周）を細くすることが可能で、さらに細い隙間などの清掃が容易に行え、操作性が向上し、また本体２１を狭い収納場所へでも収納可能となり、収納性も向上する。
【００３２】
また本体２１には正転時吸気口６３及び逆転時吸気口６４のそれぞれと連通した第１、第２の排気口３５、３８を設け、正転時には第１の排気口３５を閉塞する第１の閉塞部３６を有し、また逆転時には第２の排気口３８を閉塞する第２の閉塞部３９を有する構成としたものである。これによって、電動送風機２２の正転時または逆転時のそれぞれに対して漏れや還流といった流れの損失を無くし、高い吸込み性能を有した電気掃除機を実現するものである。
【００３３】
また第１、第２の閉塞部３６、３９の動作と連動して電動送風機２２の回転方向、速度を制御する構成としたので、吸込具を変更しても確実に排気通路が形成されなければ吸排気方向が逆転しないため、確実に高い吸込み性能を有した電気掃除機を実現するものである。
【００３４】
また床ノズル２４と本体２１を一体化した構成とすることで、床ノズルから電動送風機２２までの通風経路を短くすることが可能で、通路損失が低減され床面での吸引力が向上し、さらに本体２１の重心が床面近くに存在するため、補助吸込具３０使用時に本体２１を転倒せずに自立させることが容易で、補助吸込具３０使用時の操作性を向上することができる。
【００３５】
（実施例２）
図４（ａ）は、本発明の第２の実施例である電気掃除機における補助吸込具の収容状態を示す側断面図であり、図４（ｂ）は、同補助吸込具の使用状態を示す側断面図である。なお補助吸込具３０以外の構成は実施例１と同様であるので、同一部分には同一符号を付与してその詳細な説明を省略する。
【００３６】
本実施例の補助吸込具３０には電源スイッチ７１を設けてあり、補助吸込具３０を本体２１へ収容している際に電源スイッチ７１を操作可能とするスイッチ穴７２を有する構成としたものである。これにより、補助吸込具３０の使用時に手元で電源の操作を行うことが可能になり、補助吸込具３０使用時の操作性を向上することができる。
【００３７】
尚、実施例１、実施例２の中で、可撓性ホース３２と補助吸込具３０とを別々に構成し、２つを接続するようにしたが、一体に設けても支障がないものである。
【００３８】
【発明の効果】
以上のように、請求項１から６に記載の発明によれば、補助吸込具の準備作業が容易で、操作性を向上した電気掃除機を実現するものである。
【図面の簡単な説明】
【図１】本発明の第１の実施例における電気掃除機の側断面図
【図２】同、電気掃除機の補助吸込具の収容状態を示す側断面図
【図３】（ａ）同、電気掃除機における電動送風機の正転状態を示す側断面図
（ｂ）同、電気掃除機における電動送風機の逆転状態を示す側断面図
【図４】（ａ）本発明の第２の実施例における電気掃除機の補助吸込具の収容状態を示す側断面図
（ｂ）同、電気掃除機の補助吸込具の使用状態を示す側断面図
【符号の説明】
２１  本体
２２  電動送風機
２３  第１の集塵室
２４  床ノズル（床用吸込具）
２９  第２の集塵室
３０  補助吸込具
３２  可撓性ホース
３５  第１の排気口
３６  第１の閉塞部
３８  第２の排気口
３９  第２の閉塞部
５１  収容部
５２  係止部
５３  カバー体
５４  ハンドル体
６２  羽根車（羽根）
６３  正転時吸気口
６４  逆転時吸気口
７１  電源スイッチ
【図１】
2004242840.tif 000003
【図２】
2004242840.tif 000004
【図３】
2004242840.tif 000005
【図４】
2004242840.tif 000006